(57)【特許請求の範囲】
【請求項１】
放送番組データの記録を行う記録装置において、
放送番組データを受信する受信手段と、
前記受信手段により受信された放送番組データを、第１画質で記録する第１の記録手段と、
前記第１の記録手段により記録された放送番組データを、前記第１画質よりも低画質の第２画質に変換する変換手段と、
前記変換手段により、前記第２画質に変換された放送番組データを記録する第２の記録手段と、
前記変換手段により、前記第２画質に変換された放送番組データを再生する再生手段と、
前記第１の記録手段により記録された前記第１画質の放送番組データと、前記第２の記録手段により記録された前記第２画質の放送番組データとのうち、何れかの放送番組データをユーザに選択させる選択手段と、
前記選択手段による選択に基づいて、前記第１の記録手段により記録された前記第１画質の放送番組データ又は前記第２の記録手段により記録された前記第２画質の放送番組データを削除する削除手段と、
を備え、
前記第１の記録手段により前記放送番組データが前記第１画質で記録された後、前記再生手段による前記第２画質に変換された当該放送番組データの再生時に、前記変換手段は、前記第１の記録手段により記録された当該放送番組データを前記第２画質に変換し、前記第２の記録手段は、前記変換手段により前記第２画質に変換された当該放送番組データを記録することを特徴とする記録装置。
【請求項２】
前記選択手段は、
音声入力部と、
前記音声入力部により入力された音声情報を認識する認識手段と、を備え、
前記音声入力部により入力されたユーザの音声情報を、前記認識手段により認識させることにより、ユーザに選択させることを特徴とする請求項１に記載の記録装置。
【請求項３】
放送番組データの記録開始時刻及び記録終了時刻を設定する設定手段と、
前記設定手段により設定された記録開始時刻よりも所定時間前に、前記第１の記録手段による放送番組データの前記記録を開始させる第１制御及び／又は前記設定手段により設定された記録終了時刻よりも所定時間後に、前記第１の記録手段による放送番組データの前記記録を終了させる第２制御を行う記録制御手段と、
を備え、
前記記録制御手段は、前記認識手段により、予め設定された音声情報が認識された場合に、前記第１の記録手段及び／又は前記第２の記録手段により記録された一の放送番組データのうち、前記設定手段により設定された記録開始時刻前の放送番組データ及び／又は前記設定手段により設定された記録終了時刻後の放送番組データを削除することを特徴とする請求項２に記載の記録装置。
【請求項４】
放送番組データの記録を行う記録装置において、
放送番組データを受信する受信手段と、
前記受信手段により受信された放送番組データを、第１画質で記録する第１の記録手段と、
前記第１の記録手段により記録された放送番組データを、前記第１画質よりも低画質の第２画質に変換する変換手段と、
前記変換手段により、前記第２画質に変換された放送番組データを記録する第２の記録手段と、
前記変換手段により、前記第２画質に変換された放送番組データを再生する再生手段と、
前記第１の記録手段により記録された前記第１画質の放送番組データと、前記第２の記録手段により記録された前記第２画質の放送番組データとのうち、何れかの放送番組データをユーザに選択させる選択手段と、
前記選択手段による選択に基づいて、前記第１の記録手段により記録された前記第１画質の放送番組データ又は前記第２の記録手段により記録された前記第２画質の放送番組データを削除する削除手段と、
放送番組データの記録開始時刻及び記録終了時刻を設定する設定手段と、
前記設定手段により設定された記録開始時刻よりも所定時間前に、前記第１の記録手段による放送番組データの前記記録を開始させる第１制御及び／又は前記設定手段により設定された記録終了時刻よりも所定時間後に、前記第１の記録手段による放送番組データの前記記録を終了させる第２制御を行う記録制御手段と、
を備え、
前記選択手段は、
音声入力部と、
前記音声入力部により入力された音声情報を認識する認識手段と、を備え、
前記音声入力部により入力されたユーザの音声情報を、前記認識手段により認識させることにより、ユーザに選択させ、
前記記録制御手段は、前記認識手段により、予め設定された音声情報が認識された場合に、前記第１の記録手段及び／又は前記第２の記録手段により記録された一の放送番組データのうち、前記設定手段により設定された記録開始時刻前の放送番組データ及び／又は前記設定手段により設定された記録終了時刻後の放送番組データを削除し、
前記第１の記録手段により前記放送番組データが前記第１画質で記録された後、前記再生手段による前記第２画質に変換された当該放送番組データの再生時に、前記変換手段は、前記第１の記録手段により記録された当該放送番組データを前記第２画質に変換し、前記第２の記録手段は、前記変換手段により前記第２画質に変換された当該放送番組データを記録することを特徴とする記録装置。 
【発明の詳細な説明】
【技術分野】
【０００１】
本発明は、放送番組データを記録する記録装置に関する。
【背景技術】
【０００２】
放送番組データの記録を行う記録装置では、放送番組の延長や、記録装置側又は放送局側で計時される時刻が不正確である場合等に、放送番組データの記録を行う予約時刻と実際の放送時刻との間にずれが生じてしまう場合がある。このような場合であっても、放送番組データとともに送信されてくるＥＰＧ情報を参照して、放送番組全体の記録を行うことができる記録装置が知られている。
【０００３】
また、特許文献１には、テレビジョン番組データの記録を、プログラムされた開始時間よりも特定の時間量早く開始し、且つ、プログラムされた終了時間よりも特定の時間量遅く終了することで、テレビジョン番組が予定より早く始まっても、又は、遅く終了しても、テレビジョン番組全体をより確実に記録することを可能とするシステムが提案されている。
【特許文献１】特開２００５−５０６０２１号公報
【発明の開示】
【発明が解決しようとする課題】
【０００４】
ところで、記憶装置では、放送番組データを、標準画質や高画質等の様々な画質で記録することができる。画質の面からは、全て高画質で記録することが望ましいが、記録容量には限りがあるため、全て高画質で記録すると多くの放送番組データを記録することができないという問題がある。したがって、画質面と記録容量の問題を考慮すると、必要な放送番組のみ高画質で記録することが望ましい。しかしながら、ユーザは、標準画質での記録で十分か、或いは、標準画質では画質が満足できず高画質での記録が必要かについて、実際の番組を視聴しなくては判断できない場合がある。
【０００５】
本発明の課題は、実際の放送番組を視聴して、標準画質で記録するか又は高画質で記録するかを選択することができ、ユーザが満足できる画質の番組放送データを効率的に記録することが可能な記録装置を提供することである。
【課題を解決するための手段】
【０００６】
上記課題を解決するため、請求項１に記載の発明は、放送番組データの記録を行う記録装置において、
放送番組データを受信する受信手段と、
前記受信手段により受信された放送番組データを、第１画質で記録する第１の記録手段と、
前記第１の記録手段により記録された放送番組データを、前記第１画質よりも低画質の第２画質に変換する変換手段と、
前記変換手段により、前記第２画質に変換された放送番組データを記録する第２の記録手段と、
前記変換手段により、前記第２画質に変換された放送番組データを再生する再生手段と、
前記第１の記録手段により記録された前記第１画質の放送番組データと、前記第２の記録手段により記録された前記第２画質の放送番組データとのうち、何れかの放送番組データをユーザに選択させる選択手段と、
前記選択手段による選択に基づいて、前記第１の記録手段により記録された前記第１画質の放送番組データ又は前記第２の記録手段により記録された前記第２画質の放送番組データを削除する削除手段と、
を備え、
前記第１の記録手段により前記放送番組データが前記第１画質で記録された後、前記再生手段による前記第２画質に変換された当該放送番組データの再生時に、前記変換手段は、前記第１の記録手段により記録された当該放送番組データを前記第２画質に変換し、前記第２の記録手段は、前記変換手段により前記第２画質に変換された当該放送番組データを記録することを特徴とする。 
【０００７】
請求項２に記載の発明は、請求項１に記載の記録装置において、前記選択手段は、
音声入力部と、
前記音声入力部により入力された音声情報を認識する認識手段と、を備え、
前記音声入力部により入力されたユーザの音声情報を、前記認識手段により認識させることにより、ユーザに選択させることを特徴とする。
【０００８】
請求項３に記載の発明は、請求項２に記載の記録装置において、放送番組データの記録開始時刻及び記録終了時刻を設定する設定手段と、
前記設定手段により設定された記録開始時刻よりも所定時間前に、前記第１の記録手段による放送番組データの前記記録を開始させる第１制御及び／又は前記設定手段により設定された記録終了時刻よりも所定時間後に、前記第１の記録手段による放送番組データの前記記録を終了させる第２制御を行う記録制御手段と、
を備え、
前記記録制御手段は、前記認識手段により、予め設定された音声情報が認識された場合に、前記第１の記録手段及び／又は前記第２の記録手段により記録された一の放送番組データのうち、前記設定手段により設定された記録開始時刻前の放送番組データ及び／又は前記設定手段により設定された記録終了時刻後の放送番組データを削除することを特徴とする。
【０００９】
請求項４に記載の発明は、放送番組データの記録を行う記録装置において、
放送番組データを受信する受信手段と、
前記受信手段により受信された放送番組データを、第１画質で記録する第１の記録手段と、
前記第１の記録手段により記録された放送番組データを、前記第１画質よりも低画質の第２画質に変換する変換手段と、
前記変換手段により、前記第２画質に変換された放送番組データを記録する第２の記録手段と、
前記変換手段により、前記第２画質に変換された放送番組データを再生する再生手段と、
前記第１の記録手段により記録された前記第１画質の放送番組データと、前記第２の記録手段により記録された前記第２画質の放送番組データとのうち、何れかの放送番組データをユーザに選択させる選択手段と、
前記選択手段による選択に基づいて、前記第１の記録手段により記録された前記第１画質の放送番組データ又は前記第２の記録手段により記録された前記第２画質の放送番組データを削除する削除手段と、
放送番組データの記録開始時刻及び記録終了時刻を設定する設定手段と、
前記設定手段により設定された記録開始時刻よりも所定時間前に、前記第１の記録手段による放送番組データの前記記録を開始させる第１制御及び／又は前記設定手段により設定された記録終了時刻よりも所定時間後に、前記第１の記録手段による放送番組データの前記記録を終了させる第２制御を行う記録制御手段と、
を備え、
前記選択手段は、
音声入力部と、
前記音声入力部により入力された音声情報を認識する認識手段と、を備え、
前記音声入力部により入力されたユーザの音声情報を、前記認識手段により認識させることにより、ユーザに選択させ、
前記記録制御手段は、前記認識手段により、予め設定された音声情報が認識された場合に、前記第１の記録手段及び／又は前記第２の記録手段により記録された一の放送番組データのうち、前記設定手段により設定された記録開始時刻前の放送番組データ及び／又は前記設定手段により設定された記録終了時刻後の放送番組データを削除し、
前記第１の記録手段により前記放送番組データが前記第１画質で記録された後、前記再生手段による前記第２画質に変換された当該放送番組データの再生時に、前記変換手段は、前記第１の記録手段により記録された当該放送番組データを前記第２画質に変換し、前記第２の記録手段は、前記変換手段により前記第２画質に変換された当該放送番組データを記録することを特徴とする。
【発明の効果】
【００１０】
本発明によれば、受信手段により、放送番組データが受信され、第１の記録手段により、受信手段により受信された放送番組データが、第１画質で記録され、変換手段により、第１の記録手段により記録された放送番組データが、第１画質よりも低画質の第２画質に変換され、第２の記録手段により、変換手段により第２画質に変換された放送番組データが記録され、再生手段により、変換手段により第２画質に変換された放送番組データが再生され、選択手段により、第１の記録手段により記録された第１画質の放送番組データと、第２の記録手段により記録された第２画質の放送番組データとのうち、何れかの放送番組データがユーザにより選択され、削除手段により、選択手段による選択に基づいて、第１の記録手段により記録された第１画質の放送番組データ又は第２の記録手段により記録された第２画質の放送番組データが削除される。
したがって、記録装置において、実際の放送番組を視聴して、標準画質で記録するか又は高画質で記録するかを選択することができ、ユーザが満足できる画質の番組放送データを効率的に記録することができる。
【発明を実施するための最良の形態】
【００１１】
以下、本発明の実施の形態について、図面を参照しながら説明を行う。
本実施形態では、記録装置として、磁気ディスクに対する記録を行うＨＤＤ（Hard disk Drive；固定磁気ディスクドライブ）レコーダを例に説明を行う。
【００１２】
本実施形態のＨＤＤレコーダ１００は、図１に示すように、映像・音声データから成る放送番組データの記録及び再生を行う装置本体１と、ユーザがキー操作を行って各種指示を入力することにより装置本体１を遠隔操作するためのリモートコントローラ２と、を備えて構成されている。
また、装置本体１には、テレビジョン受像機２００等の外部装置が接続されており、装置本体１において再生された放送番組データは、当該テレビジョン受像機２００に出力される。
【００１３】
なお、本実施形態において、「第１画質」とは、第２画質よりも相対的に高画質の録画モードの画質を指し、以下の説明では、「高画質」と言うこととする。
また、「第２画質」とは、第１画質よりも相対的に低画質の録画モードの画質を指し、以下の説明では、「標準画質」と言うこととする。
これら「高画質」「標準画質」は、ＳＰモード等の特定の録画モードの画質を指すものではない。
すなわち、例えば、第１画質をＸＰモードでの画質とし、第２画質をＳＰモードでの画質としても良い。また、例えば、第１画質をＳＰモードでの画質とし、第２画質をＬＰモードでの画質としても良い。
【００１４】
まず、リモートコントローラ２の要部構成について、図２を参照しながら説明する。
リモートコントローラ（以下、「リモコン」と称する）２は、複数のキーを備えるキー操作部２１、リモコン信号送信部２２、音声入力ユニット（音声入力部）２３等を備えて成り、ユーザのキー操作に基づいて装置本体１を遠隔操作する。
【００１５】
キー操作部２１は、複数のキーを備え、ユーザによるキー操作を検出すると、操作されたキーに対応する赤外線等のリモコン信号が生成され、リモコン信号送信部２２に送信される。具体的には、キー操作部２１には、音声情報の入力を行う際に操作する音声情報入力キー２１ａ、放送番組データの記録開始時刻及び記録終了時刻を設定するための録画予約キー２１ｂ、記録した放送番組データを再生するための再生キー２１ｃ等が備わる。
リモコン信号送信部２２は、キー操作部２１において押下されたキーに対応するリモコン信号を、赤外線等により装置本体１に送信する。
【００１６】
音声入力ユニット２３は、例えば、マイクロホン２３１、変調部２３２、送信部２３３等を備える。
マイクロホン２３１は、入力される音声を集音し、アナログの音声データに変換する。
変調部２３２は、マイクロホン２３１から入力される音声データを、ＦＭ（Frequency Modulation:周波数変調）変調等の変調方式で変調して、送信部２３３に出力する。
送信部２３３は、変調部２３２から入力される音声データを装置本体１に送信する。
ユーザは、音声情報を入力する場合、音声情報入力キー２１ａを押下し、押下している間に、リモコン２に備わるマイクロホン２３１に向けて発声して音声情報を入力する。マイクロホン２３１から入力された音声情報は、所定のアナログ音声データに変換されるとともに、変調部２３２において所定の変調方式で変調され、送信部２３３に送信される。そして、送信部２３３により、変調された音声情報が、無線方式で装置本体１に送信される。
【００１７】
次に、装置本体１の要部構成について、図３を参照しながら説明する。
装置本体１は、リモコン２から送信された音声情報を受信する受信部３と、受信部３により受信された音声情報を復調する音声情報復調部４と、音声情報復調部４から入力される音声情報に対して音声認識を行う音声認識部５と、アンテナ等により受信された放送信号から所定の放送チャンネルの放送番組データを選局するチューナ（受信手段）６と、チューナ６から入力される放送信号を復調する復調部７と、復調部７から入力されるトランスポートストリームを分離する分離部８と、分離部８から入力されたストリームに対して所定の圧縮処理を行うエンコーダ部（変換手段）９と、放送番組データの入出力を制御して、エンコーダ部９から入力された放送番組データをディスクドライブ部１１に供給するとともに、ディスクドライブ部１１から取り込んだ放送番組データをデコーダ部１２に供給するデータプロセッサ１０と、磁気ディスク１１１に対して放送番組データの記録及び再生を行うディスクドライブ部（第１の記録手段、第２の記録手段、再生手段）１１と、ディスクドライブ部１１から出力された放送番組データに所定の伸張処理を行うデコーダ部１２と、リモコン２から送信されるリモコン信号を受信するとともに、当該リモコン信号を制御部１４に出力するリモコン信号受光部１３と、装置本体１全体を統括制御する制御部１４と、等を備えて構成され、各部は制御バスにより接続されている。
【００１８】
受信部３は、リモコン２の送信部２３３から無線送信される音声情報を受信する。
音声情報復調部４は、受信部３から入力される音声情報を復調して、音声認識部５に送出する。
【００１９】
音声認識部５は、例えば、音声情報復調部４から入力される音声情報に対して、音声認識処理を行って認識結果を出力する。
ここで、音声認識は、例えば、Ｊｕｌｉｕｓという音声認識ソフトウェアが用いられ、膨大な音声パターンと言語パターンの統計データを集積することにより実現される。音声認識の基本原理は、音響モデル（音素（ローマ字１文字にほぼ相当）や音節（かな１文字に相当））の周波数パターンを保持し、単語辞書を参照しながら、入力された音声の音声波形信号から単音節部分を切出した音節列信号とマッチングを行い、音声の認識を行う。
【００２０】
チューナ６は、例えば、図示は省略するが、高周波増幅回路と、局部発振回路及び混合回路から成る周波数変換回路と、を備えて構成されており、アンテナ等により入力されたデジタルテレビジョン放送信号（ＲＦ信号）と、局部発振回路から出力される局部発振信号とを混合回路により混合し、当該放送信号の周波数を選局するための制御部１４からの制御出力に応じて、特定周波数帯のテレビジョン放送信号を受信する。
【００２１】
復調部７は、例えば、制御部１４からの制御に基づいて、チューナ６から出力されたテレビジョン放送信号に対してデジタル復調や誤り訂正などの処理を実行し、トランスポートストリーム（ＴＳ）を生成して、分離部８に出力する。
【００２２】
分離部８は、復調部７から入力されるＴＳからビデオストリーム・オーディオストリームを分離し、ビデオストリームをビデオデコーダ９１に、オーディオストリームをオーディオデコーダ９２に出力する。
【００２３】
エンコーダ部９は、例えば、ビデオエンコーダ９１、オーディオエンコーダ９２、フォーマッタ９３等を備えて構成されている。
ビデオエンコーダ９１は、分離部８から入力されるビデオストリームを、例えば、ＭＰＥＧ２方式に従って圧縮する。具体的には、ビデオエンコーダ９１は、映像信号に対して、ＤＣＴ（Discrete Cosine Transform）、再量子化、動き補償、可変長符号化、及び多重化等の各種処理を行うことで、情報量の圧縮を行う。
オーディオエンコーダ９２は、分離部８から入力されるオーディオストリームを、例えば、ドルビーＡＣ３（Dolby Audio Compression 3）方式に従って圧縮する。この方式を採用したオーディオエンコーダ９２は、音声データをＭＤＣＴ（Modified Discrete Cosine Transform）により一旦サンプリング期間毎に周波数成分に変換して、再量子化、ビット数割り当て等の処理を行うことで、情報量の圧縮を行う。
フォーマッタ９３は、ビデオエンコーダ９１から入力される映像データ及びオーディオエンコーダ９２から入力される音声データに対してストリーム合成を行い、ディスクドライブ部１１において磁気ディスク１１１に書き込み可能なファイル形式に変換して、データプロセッサ１０に供給する。
エンコーダ部９は、後述する第１の記録プログラム１４４ｂの実行に際して、分離部８から入力される放送番組データを、高画質のフォーマット（例えば、ビットレート８Ｍｂｐｓ）で圧縮する。また、エンコーダ部９は、後述する変換プログラム１１４ｃの実行において、一旦磁気ディスク１１１に高画質で記録された放送番組データを、より低画質の標準画質のフォーマット（例えば、ビットレート４Ｍｂｐｓ）で再圧縮して、放送番組データの画質を変換する。これにより、エンコーダ部９は、変換手段の一部を構成する。
【００２４】
データプロセッサ１０は、例えば、バッファメモリ１０ａを備え、ＣＰＵ１４１による制御に基づいて、ディスクドライブ部１１に対する音声・映像データの入出力経路を設定し、データの読み出し／書き込み等、データの入力及び出力を制御する。
具体的には、データプロセッサ１０は、例えば、エンコーダ部９から入力された放送番組データに対して、誤り訂正等の処理を行い、一旦バッファメモリ１０ａに蓄積した後に、ＣＰＵ１４１１からの制御出力に応じて所定のレートでディスクドライブ部１１に出力するとともに、ディスクドライブ部１１から読み込んだ放送番組データに対して、誤り訂正等の処理を行い、一旦バッファメモリ１０ａに蓄積した後に、ＣＰＵ１４１からの制御出力に応じて所定のレートでデコーダ部１２に出力する。
【００２５】
ディスクドライブ部１１は、例えば、内蔵された磁気ディスク１１１、磁気ディスク１１１に対するデータの記録或いは磁気ディスク１１１に記録されたデータの読み出しを行う磁気ヘッド１１２、磁気ディスク１１１を回転駆動させるスピンドルモータ１１３、磁気ヘッド１１２を磁気ディスク１１１の半径方向に移動させるためのアクチュエータ１１４等を備えて構成され、磁気ヘッド１１２と磁気ディスク１１１との間には、電流を供給することにより磁界を発生する微小な隙間が設けられている。そして、当該磁気ディスク１１１を高速に回転させ、アクチュエータ１１４により磁気ヘッド１１２を磁気ディスク１１１上に移動させてデータの読み書きを行う。
【００２６】
デコーダ部１２は、例えば、分離部１２１、ビデオデコーダ１２２、オーディオデコーダ１２３、Ｄ／Ａ変換部１２４等を備えて構成されている。
分離部１２１は、ディスクドライブ部１１からデータプロセッサ１０を介して出力された放送番組データ・音声情報を、映像データ、音声データ等の複数のストリームに分離する。
ビデオデコーダ１２２は、分離部１２１から入力された映像データを、ＭＰＥＧ２方式に従って伸張する。具体的には、ビデオデコーダ１２２は、映像データに、可変長復号化、逆量子化、逆ＤＣＴ、動き補正等の各種処理を行うことで、映像データの伸張を行う。
オーディオデコーダ１２３は、分離部１２１から入力された音声データをドルビーＡＣ−３方式に従って伸張する。
Ｄ／Ａ変換部１２４は、量子化された映像データ又は音声データを、その量子化データに応じたアナログ量に変換することにより、それぞれアナログ変換する。
当該Ｄ／Ａ変換部１２４においてアナログ変換された映像データは、図示しないＯＳＤ回路においてＯＳＤデータ等の合成が行われ、図示しないフレームメモリに一旦格納された後に、ＣＰＵ１４１からの制御出力に応じて、装置本体１に接続されたテレビジョン受像機２００の表示部２００ａに出力されることとなる。また、Ｄ／Ａ変換部１２４においてアナログ変換された音声データは、装置本体１に接続されたテレビジョン受像機２００の音声出力部２００ｂに出力されることとなる。
【００２７】
リモコン信号受光部１３は、リモコン２のキー操作部２１に備わる各種キーがユーザにより押下操作されることにより出力された赤外線等のリモコン信号を受信し、増幅、検波、誤り訂正等の処理を施して、当該リモコン信号を制御部１４に対して出力する。
【００２８】
制御部１４は、ＣＰＵ（Central Processing Unit）１４１、計時処理を行う計時部１４２、メモリ部１４３、ＲＯＭ（Read Only Memory）１４４等を備えて構成されている。
【００２９】
ＣＰＵ１４１は、装置本体１の各部から入力された入力信号や、リモコン２のキー操作部２１における各種キーの押下操作によってリモコン信号受光部１３を介して入力されたリモコン信号等に応じて、ＲＯＭ１４４に格納された各種プログラムを実行するとともに、実行にかかるプログラムに基づいて装置本体１の各部に出力信号を出力することにより、ＨＤＤレコーダ１００の動作全般を統括制御する。
【００３０】
メモリ部１４３は、例えば、ＲＡＭ（Random Access Memory）等の揮発性メモリからなるワークエリア１４３１を備えており、ＣＰＵ１４１によって各種プログラムが実行される際に生じる処理結果や、入力されたデータ等をこのワークエリア１４３１に記憶させる。
また、メモリ部１４３は、ＥＰＲＯＭ（Erasable Programmable ROM）等の不揮発性メモリからなるデータエリア１４３２を備え、予約テーブル１４３２ａが記憶されている。
【００３１】
ＲＯＭ１４４は、例えば、不揮発性メモリからなるプログラム格納エリアを有しており、具体的には、設定プログラム１４４ａ、第１の記録プログラム１４４ｂ、変換プログラム１４４ｃ、第２の記録プログラム１４４ｄ、再生プログラム１４４ｅ、選択プログラム１４４ｇ、認識プログラム１４４ｆ、削除プログラム１４４ｈ、記録制御プログラム１４４ｉ等を記憶している。
【００３２】
設定プログラム１４４ａは、例えば、ＣＰＵ１４１に、放送番組データの記録開始時刻及び記録終了時刻を設定する機能を実現させるためのプログラムである。
具体的には、リモコン２のキー操作部２１における録画予約キー２１ｂの操作に基づくリモコン信号を検出すると、ＣＰＵ１４１は、表示部２００ａに、図４に例示するメニュー画面を表示させる。ユーザは、このメニュー画面において、予約日時情報（日付、曜日、記録開始時刻、記録終了時刻）、チャンネル等の録画する放送番組に関する情報を入力する。ＣＰＵ１４１は、メニュー画面において入力された予約日時情報及びチャンネル等を予約テーブル１４３２ａに格納することにより、放送番組の録画予約を設定する。
なお、以下の説明では、設定プログラム１４４ａの実行により設定された録画予約における設定された記録開始時刻を「設定記録開始時刻」といい、設定された記録終了時刻を「設定記録終了時刻」と言うこととする。
ＣＰＵ１４１は、かかる設定プログラム１４４ａを実行することにより、設定手段として機能する。
【００３３】
第１の記録プログラム１４４ｂは、例えば、ＣＰＵ１４１に、チューナ６により受信された放送番組データを、高画質（第１画質）で記録する機能を実現させるためのプログラムである。また、第１の記録プログラム１４４ｂは、ＣＰＵ１４１に、設定プログラム１４４ａの実行により設定された記録開始時刻よりも所定時間前に、放送番組データの記録を開始させる第１制御及び／又は設定プログラム１４４ａの実行により設定された記録終了時刻よりも所定時間後に、放送番組データの記録を終了させる第２制御を実行させる。
具体的には、ＣＰＵ１４１は、第１の記録プログラム１４４ｂの実行において、放送番組データを高画質で磁気ディスク１１１に記録させる。また、ＣＰＵ１４１は、設定プログラム１４４ａの実行により放送番組の録画予約が設定されると、録画予約された放送番組の前後所定時間を余分に録画する。例えば、設定記録開始時刻よりも所定時間前（例えば、３０分前）に、放送番組データの記録を開始させるとともに、設定記録終了時刻よりも所定時間後（例えば、１時間後）に、放送番組データの記録を終了させる。
余分に録画を行う時間は、メニュー画面において、予めユーザが任意に設定できるようになっている。また、設定記録開始時刻よりも所定時間前に記録を開始する処理と、設定記録終了時刻よりも所定時間後に記録を終了する処理は、どちらか一方を行うように設定することができる。
ＣＰＵ１４１は、かかる第１の記録プログラム１４４ｂを実行することにより、磁気ディスク１１１及びディスクドライブ部１１とともに、第１の記録手段として機能する。
【００３４】
ここで、図５を参照しながら、第１の記録プログラム１４４ｂの実行による放送番組データの記録の具体例を説明する。
図５に示すように、例えば、録画予約の設定記録開始時刻が１３：００であり、設定記録終了時刻が１５：００である場合、ＣＰＵ１４１は、放送番組データの記録を、設定記録開始時刻の３０分前の１２：３０に開始させるとともに、設定記録終了時刻の１時間後の１６：００に終了させる。すなわち、実際には、設定記録開始時刻前及び設定記録終了時刻後の余分なデータを含む、１２：３０〜１６：００の放送番組データが磁気ディスク１１１に記録されることとなる。
また、磁気ディスク１１１への記録を行う際、ＣＰＵ１４１は、設定放送開始時刻から設定放送終了時刻までの放送番組データ（すなわち、１３：００〜１５：００の放送番組データ）と、設定記録開始時刻前／設定記録終了時刻後の余分に記録されたデータ（すなわち、１２：３０〜１３：００の放送番組データ及び１５：００〜１６：００の放送番組データ）とを区別して記録させる。
【００３５】
変換プログラム１４４ｃは、例えば、ＣＰＵ１４１に、第１の記録プログラム１４４ｂの実行により記録された放送番組データを、高画質（第１画質）よりも低画質の標準画質（第２画質）に変換する機能を実現させるためのプログラムである。当該変換プログラム１４４ｃは、後述の再生プログラム１４４ｅの実行による標準画質（第２画質）に変換された放送番組データの再生中に、後述する第２の記録プログラム１４４ｄとともに実行される。
具体的には、ＣＰＵ１４１は、リモコン２のキー操作部２１における再生キー２１ｃの操作に基づくリモコン信号を検出すると、磁気ディスク１１１に記録された放送番組データの中から所望の放送番組データを選択させるためのメニュー画面を表示部２００ａに表示させる。そして、このメニュー画面において、ユーザが、第１の記録プログラム１４４ｂの実行により高画質で記録された放送番組データを選択すると、ＣＰＵ１４１は、ディスクドライブ部１１において、選択された高画質の放送番組データを読み出して、データプロセッサ１０のバッファメモリ１０ａに出力し、これをデコーダ部１２に出力してデコードさせる。さらに、ＣＰＵ１４１は、デコーダ部１２においてデコードされたデータをエンコーダ部９に出力させ、エンコーダ部９に、標準画質のフォーマットで再圧縮させる。
ＣＰＵ１４１は、かかる変換プログラム１４４ｃを実行することにより、エンコーダ部９とともに変換手段として機能する。
【００３６】
第２の記録プログラム１４４ｄは、例えば、ＣＰＵ１４１に、変換プログラム１４４ｃの実行により、標準画質（第２画質）に変換された放送番組データを記録する機能を実現させるためのプログラムである。当該第２の記録プログラム１４４ｄは、後述の再生プログラム１４４ｅの実行による標準画質（第２画質）に変換された放送番組データの再生中に、前述した変換プログラム１４４ｃとともに実行される。
具体的には、ＣＰＵ１４１は、磁気ディスク１１１に高画質のフォーマットで記録された放送番組データが、変換プログラム１４４ｃの実行において、標準画質のフォーマットで再圧縮されると、この放送番組データを、データプロセッサ１０を介してディスクドライブ部１１に出力し、既に記憶されている同一の放送番組データに基づく高画質の放送番組データと対応づけて、磁気ディスク１１１に記録させる。
ＣＰＵ１４１は、かかる第２の記録プログラム１４４ｄを実行することにより、磁気ディスク１１１及びディスクドライブ部１１とともに、第２の記録手段として機能する。
【００３７】
ここで、図６を参照しながら、磁気ディスク１１１のデータ構造について説明する。
磁気ディスク１１１は、磁気ディスク１１１の半径方向に放射状に埋め込まれたサーボデータ領域及びライトデータ領域を備えて構成されている。サーボデータ領域は、トラック番号、セクタ番号、バーストデータから構成されており、ディスクドライブ部１１は、書き込み命令と書き込み先のアドレスを受け取ると、当該サーボデータに基づいて磁気ヘッド１１２の現在位置を特定し、目的のアドレスに磁気ヘッド１１２を移動してデータを書き込む。ライトデータ領域は、プリアンブル（preamble）や、シンクマーク（sync）、ユーザデータ（user data）、エラー訂正符号（ECC）、ポストアンブル（postamble）等を格納する。
ユーザデータ領域には、第１の記録プログラム１４４ｂの実行による、高画質の放送番組データを格納するための領域と、第２の記録プログラム１４４ｄの実行による、当該高画質の放送番組データが再圧縮されることにより生成された標準画質の放送番組データを格納するための領域とが備わり、同一の放送番組データに基づく高画質の放送番組データと標準画質の放送番組データは、互いに対応付けられて格納される。高画質の放送番組データの記録には、標準画質の放送番組データよりも多くの記録容量が必要となる。一方、標準画質の放送番組データは、高画質の放送番組データよりも画質が劣るものの、高画質の放送番組データよりも少ない記録容量で足りる。
また、これらの放送番組データは、設定記録開始時刻から設定記録終了時刻までのデータと設定記録開始時刻前／設定記録終了時刻後の余分に記録されたデータとが区別されて記録されている。
磁気ディスク１１１は、高画質の放送番組データ及び標準画質の放送番組データを記録することにより、第１の記録手段の一部及び第２の記録手段の一部を構成する。
【００３８】
再生プログラム１４４ｅは、例えば、ＣＰＵ１４１に、変換プログラム１４４ｃの実行により、標準画質（第２画質）に変換された放送番組データを再生する機能を実現させるためのプログラムである。
具体的には、ＣＰＵ１４１は、磁気ディスク１１１に高画質のフォーマットで記録された放送番組データが、変換プログラム１４４ｃの実行において、標準画質のフォーマットで再圧縮されると、その放送番組データを、前述した第２の記録プログラム１４４ｄの実行により磁気ディスク１１１へ記録させる一方で、デコーダ部１２に出力してデコードし、装置本体１に接続されたテレビジョン受像機２００に出力する再生処理を行う。そして、テレビジョン受像機２００において、放送番組データに基づく映像が表示部２００ａに表示されるとともに、音声が音声出力部２００ｂから出力される。
この再生処理において、ＣＰＵ１４１は、表示部２００ａに表示される映像が、設定記録開始時刻から設定放送終了時刻までのデータであるのか、或いは、余分に記録されたデータであるのかがユーザが区別可能であるように、設定記録開始時刻から設定記録終了時刻までの放送番組データと、余分に記録した部分の放送番組データとを、異なる態様で再生させる。例えば、ＣＰＵ１４１は、図７に示すように、余分に記録した部分の映像の再生時に、余分に記録した映像とともに「余分に記録した映像です」等のＯＳＤ表示を行う。また、例えば、余分に記録した部分の映像の輝度を落として再生する方法や、余分に記録した部分の再生時に音声をミュートする方法を採っても良い。
ＣＰＵ１４１は、かかる再生プログラム１４４ｅを実行することにより、ディスクドライブ部１１とともに再生手段として機能する。
【００３９】
選択プログラム１４４ｇは、第１の記録プログラム１４４ｂの実行により記録された高画質（第１画質）の放送番組データと、第２の記録プログラム１４４ｄの実行により記録された標準画質（第２画質）の放送番組データとのうち、何れかの放送番組データをユーザに選択させる機能を実現させるためのプログラムである。選択プログラム１４４ｇは、音声入力ユニット２３により入力されたユーザの音声情報を、認識プログラム１４４ｆの実行により認識させることにより、何れかの放送番組データをユーザに選択させる。
具体的には、ユーザは、前述の再生プログラム１４４ｅの実行中に、テレビジョン受像機２００の表示部２００ａに表示される標準画質のフォーマットでの映像を見て、標準画質の記録で十分か、或いは、標準画質では十分でなく高画質での記録が必要かを判断する。そして、標準画質の記録で十分と判断した場合には、リモコン２のキー操作部２１の音声情報入力キー２１ａを押下しながら、マイクロホン２３１に向けて発声し（例えば、「標準画質で記録」）、標準画質で記録する旨（又は高画質で記録しない旨）の音声情報を入力する。また、ユーザは、標準画質の記録では十分でないと判断した場合には、音声情報入力キー２１ａを押下しながら、マイクロホン２３１に向けて発声し（例えば、「高画質で記録」）、高画質で記録する旨（又は標準画質で記録しない旨）の音声情報を入力する。音声入力ユニット２３のマイクロホン２３１において入力された音声情報は、変調部２３２において変調され、送信部２３３により装置本体１に送信されることとなる。
ＣＰＵ１４１は、かかる選択プログラム１４４ｇを実行することにより、選択手段として機能する。
【００４０】
認識プログラム１４４ｆは、例えば、ＣＰＵ１４１に、音声入力ユニット２３により入力された音声情報を認識する機能を実現させるためのプログラムである。
具体的には、ＣＰＵ１４１は、受信部３において、リモコン２の音声入力ユニット２３から送信された音声情報が受信されると、当該音声情報を音声情報復調部４において復調し、音声認識部５に出力させる。そして、音声認識部５において、入力される音声情報に対して音声認識処理を行う。
ＣＰＵ１４１は、かかる認識プログラム１４４ｆを実行することにより、音声認識部５とともに音声認識手段として機能する。
【００４１】
削除プログラム１４４ｈは、例えば、ＣＰＵ１４１に、選択プログラム１４４ｇの実行による選択に基づいて、第１の記憶プログラムの実行により記録された高画質（第１画質）の放送番組データ又は第２の記録プログラム１４４ｄの実行により記録された標準画質（第２画質）の放送番組データを削除する機能を実現させるためのプログラムである。
具体的には、ＣＰＵ１４１は、認識プログラム１４４ｆの実行により、音声入力ユニット２３においてユーザにより入力された音声情報が、音声認識部５において認識されると、その認識結果に基づいて、磁気ディスク１１１に記録された高画質の放送番組データと標準画質の放送番組データのうち、何れか一方の放送番組データを削除する。
例えば、入力された音声情報が「標準画質で記録」と認識されると、ＣＰＵ１４１は、磁気ディスク１１１から、高画質の放送番組データを削除して、標準画質の放送番組データを残す。また、例えば、入力された音声情報が「高画質で記録」と認識されると、ＣＰＵ１４１は、磁気ディスク１１１から、標準画質の放送番組データを削除して、高画質の放送番組データを残す。
ＣＰＵ１４１は、かかる削除プログラム１４４ｈを実行することにより、削除手段として機能する。
【００４２】
記録制御プログラム１４４ｉは、例えば、ＣＰＵ１４１に、認識プログラム１４４ｆの実行により、予め設定された音声情報が認識された場合に、第１の記録プログラム１４４ｂ及び／又は第２の記録プログラム１１４ｄの実行により記録された一の放送番組データのうち、設定プログラム１４４ａの実行により設定された記録開始時刻前の放送番組データ及び／又は設定プログラム１４４ａの実行により設定された記録終了時刻後の放送番組データを削除する機能を実現させるためのプログラムである。
【００４３】
具体的には、ユーザは、再生プログラム１４４ｅの実行により、テレビジョン受像機２００において再生される標準画質の放送番組データを見て、実際の放送開始時刻と、設定記録開始時刻との間にずれがあるか否かを判断する。
そして、実際の放送開始時刻が設定記録開始時刻と一致していると判断した場合には、リモコン２のキー操作部２１の音声情報入力キー２１ａを押下しながら、音声入力ユニット２３のマイクロホン２３１に向けて発声し（例えば、「記録開始時刻に問題無し」）、設定プログラム１４４ａの実行により設定された設定記録開始時刻前の放送番組データを削除する旨の音声情報を入力する。すると、ＣＰＵ１４１は、磁気ディスク１１１に記録された高画質の放送番組データのうち、余分に記録した設定記録開始時刻前のデータを削除する。また、磁気ディスク１１１に、標準画質の放送番組データが記録されている場合には、そのうち、設定記録開始時刻前のデータを削除する。
一方、ユーザは、実際の放送開始時刻が、設定記録開始時刻と一致していないと判断した場合には、再生処理における予約録画した放送番組の実際の開始時点で、リモコン２のキー操作部２１の音声情報入力キー２１ａを押下しながら、音声入力ユニット２３のマイクロホン２３１に向けて発声し（例えば、「記録開始」）、その時点が実際の放送開始時刻である旨の音声情報を入力する。すると、ＣＰＵ１４１は、磁気ディスク１１１に記録された高画質の放送番組データ及び／又は標準画質の放送番組データのうち、当該音声情報が入力された時点より前のデータを削除する。
【００４４】
また、ユーザは、再生プログラム１４４ｅの実行により、テレビジョン受像機２００において再生される標準画質の放送番組データを見て、実際の放送終了時刻と、設定記録終了時刻との間にずれがあるか否かを判断する。
そして、実際の放送終了時刻が設定記録終了時刻と一致していると判断した場合には、リモコン２のキー操作部２１の音声情報入力キー２１ａを押下しながら、音声入力ユニット２３のマイクロホン２３１に向けて発声し（例えば、「記録終了時刻に問題無し」）、設定プログラム１４４ａの実行により設定された設定記録終了時刻後の放送番組データを削除する旨の音声情報を入力する。すると、ＣＰＵ１４１は、磁気ディスク１１１に記録された標準画質の放送番組データのうち、設定記録開始時刻後の、余分に記録したデータを削除する。また、磁気ディスク１１１に、標準画質の放送番組データが記録されている場合には、そのうち、設定記録終了時刻後のデータを削除する。
一方、ユーザは、実際の放送終了時刻が、設定記録終了時刻と一致していないと判断した場合には、再生処理における予約録画した放送番組の実際の終了時点で、リモコン２のキー操作部２１の音声情報入力キー２１ａを押下しながら、音声入力ユニット２３のマイクロホン２３１に向けて発声し（例えば、「記録終了」）、その時点が実際の放送終了時刻である旨の音声情報を入力する。すると、ＣＰＵ１４１は、磁気ディスク１１１に記録された高画質の放送番組データ及び／又は標準画質の放送番組データのうち、当該音声情報が入力された時点より後のデータを削除する。
ＣＰＵ１４１は、かかる記録制御プログラム１４４ｉを実行することにより、記録制御手段として機能する。
【００４５】
次に、図８のフローチャートを参照しながら、第１の記録プログラム１４４ｂの実行による放送番組データの記録処理について説明する。
【００４６】
まず、ステップＳ１において、ＣＰＵ１４１は、設定記録開始時刻の所定時間前となったか否かを判断する。ＣＰＵ１４１は、設定記録開始時刻の所定時間前となったと判断すると（ステップＳ１；Ｙｅｓ）、ステップＳ２において、録画予約された放送番組データを、高画質で磁気ディスク１１１へ記録する処理を開始する。
ステップＳ３において、ＣＰＵ１４１は、設定記録終了時刻の所定時間後となったか否かを判断する。そして、設定記録終了時刻の所定時間後となったと判断すると（ステップＳ３；Ｙｅｓ）、ステップＳ４において、録画予約された放送番組データの磁気ディスク１１１への記録を終了し、本処理を終了する。
【００４７】
次に、図９のフローチャートを参照しながら、変換プログラム１４４ｃ、第２の記録プログラム１４４ｄ、再生プログラム１４４ｅ、選択プログラム１４４ｇ、認識プログラム１４４ｆ、削除プログラム１４４ｈの実行による放送番組データの選択処理について説明する。
【００４８】
まず、ＣＰＵ１４１は、ステップＳ１１において、磁気ディスク１１１に記録された放送番組データの再生開始の指示が有るか否かを判断する。ＣＰＵ１４１は、ステップＳ１１において、リモコン２のキー操作部２１に備わる再生キー２１ｃの操作に基づいて入力される入力信号に基づいて、放送番組データの再生開始の指示が有ると判断すると（ステップＳ１１；Ｙｅｓ）、ステップＳ１２において、磁気ディスク１１１から、高画質で記録された放送番組データを読み出す。そして、ステップＳ１３において、読み出した高画質の放送番組データを、エンコーダ部９において、標準画質のフォーマットに変換させる。次いで、ステップＳ１４において、ＣＰＵ１４１は、標準画質に変換された放送番組データを、高画質の放送番組データと対応づけて磁気ディスク１１１に記録させるとともに、デコーダ部１２を介してテレビジョン受像機２００に出力して再生させる。
【００４９】
ステップＳ１５において、ＣＰＵ１４１は、音声入力ユニット２３から送信された音声情報が装置本体１に入力されたか否かを判断する。ＣＰＵ１４１は、ステップＳ１５において、音声情報が入力されたと判断すると（ステップＳ１５；Ｙｅｓ）、ステップＳ１６において、入力された音声情報に対して、音声認識部５に音声認識処理を行わせる。
そして、ステップＳ１７において、認識された音声情報が標準画質で記録する旨の音声情報（例えば、「標準画質で記録」）であるか否かを判断する。ＣＰＵ１４１は、ステップＳ１７において、認識された音声情報が標準画質で記録する旨の音声情報であると判断すると（ステップＳ１７；Ｙｅｓ）、ステップＳ１８において、磁気ディスク１１１から、高画質の放送番組データを削除して、標準画質の放送番組データのみを残し、本処理を終了する。
一方、ＣＰＵ１４１は、ステップＳ１７において、認識された音声情報が標準画質で記録する旨の音声情報でないと判断すると（ステップＳ１７；Ｎｏ）、ステップＳ１９において、認識された音声情報が高画質で記録する旨の音声情報（例えば、「高画質で記録」）であるか否かを判断する。ＣＰＵ１４１は、ステップＳ１９において、認識された音声情報が高画質で記録する旨の音声情報でないと判断すると（ステップＳ１９；Ｎｏ）、本処理を終了する。一方、認識された音声情報が高画質で記録する無縁の音声情報であると判断すると（ステップＳ１９；Ｙｅｓ）、ステップＳ２０において、磁気ディスク１１１から、標準画質の放送番組データを削除して、高画質の放送番組データのみを残し、本処理を終了する。
【００５０】
次に、図１０のフローチャートを参照しながら、記録制御プログラム１４４ｉの実行による放送番組データの編集処理について説明する。この処理は、再生プログラム１４４ｅの実行による放送番組データの再生中に行われる。
【００５１】
まず、ステップＳ３１において、ＣＰＵ１４１は、音声入力ユニット２３から送信された音声情報が装置本体１に入力されたか否かを判断する。ＣＰＵ１４１は、ステップＳ３１において、音声情報が装置本体１に入力されたと判断すると（ステップＳ３１；Ｙｅｓ）、ステップＳ３２において、入力された音声情報に対して音声認識部５に音声認識処理を行わせる。そして、ステップＳ３３において、認識された音声情報は、その時点が実際の放送開始時刻である旨の音声情報（例えば、「記録開始」）であるか否かを判断する。ＣＰＵ１４１は、認識された音声情報が、その時点が実際の放送開始時刻である旨の音声情報であると判断すると（ステップＳ３３；Ｙｅｓ）、ステップＳ３４において、磁気ディスク１１１から、当該音声情報が入力された時点より前の放送番組データを削除して、ステップＳ３７に進む。一方、ＣＰＵ１４１は、ステップＳ３３において、認識された音声情報が、その時点が実際の放送開始時刻である旨の音声情報でないと判断すると（ステップＳ３３；Ｎｏ）、ステップＳ３５に進む。
ステップＳ３５において、ＣＰＵ１４１は、認識された音声情報は、設定記録開始時刻と実際の放送開始時刻にずれが無い旨の音声情報（例えば、「記録開始時刻に問題無し」）であるか否かを判断する。ＣＰＵ１４１は、ステップＳ３５において、認識された音声情報は設定記録開始時刻と実際の放送開始時刻にずれがない旨の音声情報であると判断すると（ステップＳ３５；Ｙｅｓ）、ステップＳ３６において、磁気ディスク１１１から、設定記録開始時刻より前の放送番組データを削除して、ステップＳ３７に進む。一方、ＣＰＵ１４１は、認識された音声情報は設定記録開始時刻と実際の放送開始時刻にずれがない旨の音声情報でないと判断すると（ステップＳ３５；Ｎｏ）、ステップＳ３７に進む。
【００５２】
ステップＳ３７において、ＣＰＵ１４１は、認識された音声情報は、その時点が実際の放送終了時刻である旨の音声情報（例えば、「記録終了」）であるか否かを判断する。ＣＰＵ１４１は、認識された音声情報が、その時点が実際の放送終了時刻である旨の音声情報であると判断すると（ステップＳ３７；Ｙｅｓ）、ステップＳ３８において、磁気ディスク１１１から、当該音声情報が入力された時点より後の放送番組データを削除して、本処理を終了する。
一方、ＣＰＵ１４１は、ステップＳ３７において、認識された音声情報が、その時点が実際の放送開始時刻である旨の音声情報でないと判断すると（ステップＳ３７；Ｎｏ）、ステップＳ３９において、認識された音声情報は、設定記録終了時刻と実際の放送終了時刻にずれが無い旨の音声情報（例えば、「記録終了時刻に問題無し」）であるか否かを判断する。ＣＰＵ１４１は、ステップＳ３９において、認識された音声情報は設定記録終了時刻と実際の放送終了時刻にずれがない旨の音声情報であると判断すると（ステップＳ３９；Ｙｅｓ）、ステップＳ４０において、磁気ディスク１１１から、設定終了開始時刻より後の放送番組データを削除して、本処理を終了する。一方、ＣＰＵ１４１は、ステップＳ３９において、認識された音声情報は設定記録終了時刻と実際の放送終了時刻にずれがない旨の音声情報でないと判断すると（ステップＳ３９；Ｎｏ）、本処理を終了する。
【００５３】
以上説明した本実施形態におけるＨＤＤレコーダ１００によれば、チューナ６により放送番組データが受信され、ＣＰＵ１４１による第１の記録プログラム１４４ｂの実行により、チューナ６により受信された放送番組データが高画質（第１画質）で記録され、変換プログラム１４４ｃの実行により、第１の記録プログラム１４４ｂの実行により記録された放送番組データが、高画質（第１画質）よりも低画質の標準画質（第２画質）に変換され、第２の記録プログラム１４４ｄの実行により、変換プログラム１４４ｃの実行により標準画質（第２画質）に変換された放送番組データが記録され、再生プログラム１４４ｅの実行により、変換プログラム１４４ｃの実行により標準画質（第２画質）に変換された放送番組データが再生される。また、選択プログラム１４４ｇの実行により、第１の記録プログラム１４４ｂの実行により記録された高画質（第１画質）の放送番組データと、第２の記録プログラム１４４ｄの実行により記録された標準画質（第２画質）の放送番組データとのうち、何れかの放送番組データがユーザにより選択され、削除プログラム１４４ｈの実行により、選択プログラム１４４ｇの実行による選択に基づいて、第１の記録プログラム１４４ｂの実行により記録された高画質（第１画質）の放送番組データ又は第２の記録プログラム１４４ｄの実行により記録された標準画質（第２画質）の放送番組データが削除される。
したがって、ＨＤＤレコーダにおいて、実際の放送番組を視聴して、標準画質で記録するか又は高画質で記録するかを選択することができ、ユーザが満足できる画質の番組放送データを効率的に記録することができる。
【００５４】
また、音声入力ユニット２３が備わり、認識プログラム１４４ｆの実行により、音声入力ユニット２３により入力された音声情報が認識され、選択プログラム１４４ｇは、音声入力ユニット２３により入力されたユーザの音声情報を認識手段により認識させることにより、ユーザに選択させる。
したがって、ユーザは複雑な操作を行うことなく、音声情報を入力するだけで、高画質の放送番組データと標準画質の放送番組データのどちらで記録するかを選択することができることとなり、ＨＤＤレコーダ１００の使い勝手を向上させることができる。
【００５５】
また、設定プログラム１４４ａの実行により、放送番組データの記録開始時刻及び記録終了時刻が設定され、記録制御プログラム１４４ｉの実行により、設定プログラム１４４ａの実行により設定された記録開始時刻よりも所定時間前に、第１の記録プログラム１４４ｂによる放送番組データの前記記録を開始させる第１制御及び／又は設定プログラム１４４ａの実行により設定された記録終了時刻よりも所定時間後に、第１の記録プログラム１４４ｂの実行による放送番組データの記録を終了させる第２制御が行われ、記録制御プログラム１４４ｉは、認識プログラム１４４ｆの実行により、予め設定された音声情報が認識された場合に、第１の記録プログラム１４４ｂ及び／又は第２の記録プログラム１４４ｄの実行により記録された一の放送番組データのうち、設定プログラム１４４ａの実行により設定された記録開始時刻前の放送番組データ及び／又は設定プログラム１４４ａの実行により設定された記録終了時刻後の放送番組データを削除する。
したがって、設定開始時刻より前の放送番組データと設定開始時刻より後の放送番組データを、予め余分に記録することができ、ユーザの設定した記録開始時刻と実際の放送開始時刻の間にずれが生じた場合や、ユーザの設定した記録終了時刻と実際の放送終了時刻の間にずれが生じた場合であっても、放送番組データを確実に記録することができる。
また、ユーザは、複雑な操作を行わなくても、所定の音声情報を入力するだけで、余分に記録した部分の放送番組データの編集を行うことができ、ＨＤＤレコーダ１００の使い勝手が更に向上することとなる。
【００５６】
また、再生プログラム１４４ｅの実行による標準画質（第２画質）に変換された放送番組データの再生は、変換プログラム１４４ｃ及び第２の記録プログラム１４４ｄの実行中に、実行される。
すなわち、磁気ディスク１１１に、高画質の放送番組データと、標準画質に変換された放送番組データとが、長い時間記録されることが無くなり、磁気ディスク１１１への効率的な記録をより確実に実現することができる。
【００５７】
なお、本発明は、上記実施の形態に限られることなく、本発明の趣旨を逸脱しない範囲において、種々の改良並びに設計の変更を行っても良い。
例えば、上記実施形態では、記録装置として、テレビジョン受像機２００が接続されたＨＤＤレコーダ１００について説明したが、ＨＤＤ内蔵型のテレビジョン受像機であっても良い。また、ＤＶＤ（Digital Versatile Disc）に対する記録を行うＤＶＤプレーヤや、ＤＶＤ内蔵型のテレビジョン受像機であっても良い。
また、音声入力ユニット２３において入力する音声情報は、上記実施形態で例として挙げたものに限られない。また、放送番組データの削除は、ユーザが所定の音声情報を入力して指示する場合に限られず、リモコン２を操作して指示を入力しても良い。
また、上記実施形態では、ユーザが「記録開始時刻に問題無し」と入力した場合に、設定された記録開始時刻より前の放送番組データが削除され、「記録終了時刻に問題無し」と入力した場合に、設定された記録終了時刻より後の放送番組データが削除される構成について説明したが、ユーザが「問題無し」と入力すれば、設定された記録開始時刻前の放送番組データと設定された記録終了時刻後の放送番組データの両方が削除される構成であっても良い。
また、上記実施形態では、音声入力部がリモコン２に備わる構成について説明したが、装置本体１側に備わる構成であっても良い。
【図面の簡単な説明】
【００５８】
【図１】本実施形態におけるＨＤＤレコーダの全体構成を示す図である。
【図２】リモートコントローラの要部構成を示すブロック図である。
【図３】装置本体の要部構成を示すブロック図である。
【図４】設定プログラムの実行に際して表示部に表示されるメニュー画面を例示する図である。
【図５】第１の記録プログラムの実行による放送番組データの記録を説明するための図である。
【図６】磁気ディスクのデータ構造を説明するための図である。
【図７】再生プログラムの実行に際して表示部に表示される映像及びＯＳＤ表示を例示する図である。
【図８】第１の記録プログラムの実行による放送番組データの記録処理を示すフローチャートである。
【図９】変換プログラム、第２の記録プログラム、再生プログラム、選択プログラム、認識プログラム、削除プログラムの実行による放送番組データの選択処理を示すフローチャートである。
【図１０】記録制御プログラムの実行による放送番組データの編集処理を示すフローチャートである。
【符号の説明】
【００５９】
１００        ＨＤＤレコーダ（記録装置）
２３          音声入力ユニット（音声入力部）
６            チューナ（受信手段）
９            エンコーダ部（変換手段）
１１          ディスクドライブ部（第１の記録手段、第２の記録手段、再生手段）
１１１        磁気ディスク（第１の記録手段、第２の記録手段）
１４１        ＣＰＵ（受信手段、第１の記録手段、変換手段、第２の記録手段、再生手段、選択手段、削除手段、認識手段、設定手段、記録制御手段）
１４４ａ      設定プログラム（設定手段）
１４４ｂ      第１の記録プログラム（第１の記録手段）
１４４ｃ      変換プログラム（変換手段）
１４４ｄ      第２の記録プログラム（第２の記録手段）
１４４ｅ      再生プログラム（再生手段）
１４４ｆ      認識プログラム（認識手段）
１４４ｇ      選択プログラム（選択手段）
１４４ｈ      削除プログラム（削除手段）
１４４ｉ      記録制御プログラム（記録制御手段） 
【図１】
0004582123.tif 000002
【図２】
0004582123.tif 000003
【図３】
0004582123.tif 000004
【図４】
0004582123.tif 000005
【図５】
0004582123.tif 000006
【図６】
0004582123.tif 000007
【図７】
0004582123.tif 000008
【図８】
0004582123.tif 000009
【図９】
0004582123.tif 000010
【図１０】
0004582123.tif 000011